(57)【要約】【課題】騒音の多い場所においても、振動板の張力を安全にかつ高い信頼性をもって測定できるようにする。【解決手段】コンデンサマイクロホン用の振動板を被測定振動板１として、その張力を共振周波数により測定する振動板の張力測定方法において、密閉箱１０の開口部１２内にダイナミックヘッドホンユニット２０を発音振動板２１が密閉箱１０内に向くようにして気密的に嵌合し、上記ヘッドホンユニット２０の磁気回路２３の背面側に被測定振動板１を気密的な空間が形成されるように配置し、定電圧交流信号発生部よりボイスコイル２１３に交流信号を周波数可変として印加して発音振動板２１を振動させ、電圧測定手段４０により測定されるボイスコイル２１３の両端間電圧が最大値を示すときの上記交流信号の周波数を被測定振動板１の共振周波数として測定する。【選択図】図２
2011069690.tif 000002
【特許請求の範囲】
【請求項１】
ダイアフラムリングに張設されているコンデンサマイクロホン用の振動板を被測定振動板として、その張力を共振周波数により測定する振動板の張力測定方法において、
内部に所定容積の空気室を有し一部分に開口部が形成されている密閉箱と、ボイスコイルを有する発音振動板および上記ボイスコイルが配置される磁気ギャップを有する磁気回路を含み上記発音振動板を上記密閉箱の内側に向けて上記開口部内に気密的に嵌合されるダイナミックヘッドホンユニットと、上記ボイスコイルに接続される可変周波数型の定電圧交流信号発生部と、上記ボイスコイルの両端間電圧を測定する電圧測定手段とを備え、
上記ダイナミックヘッドホンユニットの磁気回路の背面側に、上記ダイアフラムリングに張設されている被測定振動板を気密的な空間が形成されるように配置し、上記定電圧交流信号発生部より上記ボイスコイルに交流信号を周波数可変として印加して上記発音振動板を振動させ、上記電圧測定手段により測定される上記ボイスコイルの両端間電圧が最大値を示すときの上記交流信号の周波数を上記被測定振動板の共振周波数として測定することを特徴とする振動板の張力測定方法。
【請求項２】
上記磁気回路には、大気側から上記発音振動板の背面側に通ずる空気通路が形成されていることを特徴とする請求項１に記載の振動板の張力測定方法。
【請求項３】
上記ダイナミックヘッドホンユニットは、上記発音振動板の周縁部と上記磁気回路を支持するユニットフレームを備え、上記ユニットフレームが上記開口部内に気密的に嵌合されるとともに、上記ユニットフレームの上記磁気回路を支持する円筒部が上記磁気回路の背面よりも突出しており、上記円筒部の端面に上記被測定振動板が気密的に配置されることを特徴とする請求項１または２に記載の振動板の張力測定方法。
【発明の詳細な説明】
【技術分野】
【０００１】
本発明は、コンデンサマイクロホンに用いられる振動板の張力測定方法に関し、さらに詳しく言えば、ダイナミックヘッドホンユニット（スピーカユニット）の動インピーダンスにより振動板の張力を測定する技術に関するものである。
【背景技術】
【０００２】
コンデンサマイクロホンは、ダイアフラムリングに張設されている振動板と、絶縁座により支持されている固定極とを絶縁スペーサーを介して対向的に配置させてなる一種のコンデンサ要素を含んで構成され、音波による振動板の振動に基づく静電容量の変化分を音声信号として出力する。したがって、マイクロホンとしての品質を揃えるためには、振動板の張力のバラツキを少なくする必要がある。
【０００３】
通常、振動板は、大判サイズのマザーフィルムに所定の張力を加え、その上に複数のダイアフラムリングを接着剤を介して配置し、接着剤の硬化を待って、振動板付きのダイアフラムリングを切り出すことにより作製される。
【０００４】
凡用の安価なコンデンサマイクロホン用途の振動板については、一般的に個々の張力の測定は行われないが、特に音質が重視される例えばスタジオ等で使用されるコンデンサマイクロホン用途の場合には、張力の個差を概ね１０％以内とするために、振動板の張力測定が行われる。
【０００５】
本出願人は、振動板の張力測定方法の一つとして、特許文献１において、ダイアフラムリングに張設されている振動板に対して所定の空隙をもって配置される駆動電極と、振動板から放音される音波を収音する測定用マイクロホンと、測定用マイクロホンから出力されるマイク出力信号を増幅して駆動電極に与えて振動板を静電的に駆動する電圧増幅器と、マイク出力信号の周波数を計測する周波数カウンターとを備えたループにより、振動板を持続的に発振させ、そのときの発振周波数を周波数カウンターにより計数して、振動板の張力を測定する方法を提案している。
【０００６】
これによれば、測定者の個差が介入する余地がほとんどなく、高い信頼性をもって振動板の張力を測定することができる。
【先行技術文献】
【特許文献】
【０００７】
【特許文献１】特開２００６−９８２７７号公報
【発明の概要】
【発明が解決しようとする課題】
【０００８】
しかしながら、振動板から放音される音波をマイクロホンで収音するようにしているため、測定にあたっては、騒音等がないある程度静かな環境が必要とされる、という問題がある。
【０００９】
また、振動板を静電的に駆動するうえで、その駆動電極に数１００Ｖ程度の交流信号を印加するようにしているため、感電事故等に対する注意が必要とされる、という問題もある。
【００１０】
したがって、本発明の課題は、騒音の多い場所においても、振動板の張力を安全にかつ高い信頼性をもって測定できるようにした振動板の張力測定方法を提供することにある。
【課題を解決するための手段】
【００１１】
上記課題を解決するため、本発明は、ダイアフラムリングに張設されているコンデンサマイクロホン用の振動板を被測定振動板として、その張力を共振周波数により測定する振動板の張力測定方法において、内部に所定容積の空気室を有し一部分に開口部が形成されている密閉箱と、ボイスコイルを有する発音振動板および上記ボイスコイルが配置される磁気ギャップを有する磁気回路を含み上記発音振動板を上記密閉箱の内側に向けて上記開口部内に気密的に嵌合されるダイナミックヘッドホンユニットと、上記ボイスコイルに接続される可変周波数型の定電圧交流信号発生部と、上記ボイスコイルの両端間電圧を測定する電圧測定手段とを備え、上記ダイナミックヘッドホンユニットの磁気回路の背面側に、上記ダイアフラムリングに張設されている被測定振動板を気密的な空間が形成されるように配置し、上記定電圧交流信号発生部より上記ボイスコイルに交流信号を周波数可変として印加して上記発音振動板を振動させ、上記電圧測定手段により測定される上記ボイスコイルの両端間電圧が最大値を示すときの上記交流信号の周波数を上記被測定振動板の共振周波数として測定することを特徴としている。
【００１２】
本発明において、上記磁気回路には、大気側から上記発音振動板の背面側に通ずる空気通路が形成されていることが好ましい。
【００１３】
また、本発明の好ましい態様によれば、上記ダイナミックヘッドホンユニットは、上記発音振動板の周縁部と上記磁気回路を支持するユニットフレームを備え、上記ユニットフレームが上記開口部内に気密的に嵌合されるとともに、上記ユニットフレームの上記磁気回路を支持する円筒部が上記磁気回路の背面よりも突出しており、上記円筒部の端面に上記被測定振動板が気密的に配置される。
【発明の効果】
【００１４】
本発明によれば、密閉箱内でダイナミックヘッドホンユニットを所定周波数の交流信号で駆動し、これに伴って発生する音圧により振動板を振動させて、その共振周波数を測定するようにしたことにより、騒音が多い環境下でも、振動板の張力を高い信頼性をもって測定することができる。
【００１５】
また、ダイナミックヘッドホンユニットの駆動には、高い電圧を必要としないため、人体に対して感電等の危険性がなく、安全に振動板の張力を測定することができる。
【図面の簡単な説明】
【００１６】
【図１】測定対象である被測定振動板を示す断面図。
【図２】本発明による振動板の張力測定方法の一実施形態を示す断面図。
【図３】本発明の電気測定系を示す回路図。
【図４】測定時における共振周波数を示すグラフ。
【図５】上記実施形態における機械振動系の等価回路図。
【発明を実施するための形態】
【００１７】
次に、図１ないし図５を参照して、本発明の実施形態を説明するが本発明はこれに限定されるものではない。
【００１８】
まず、図１に本発明によって張力が測定される被測定振動板１を示す。被測定振動板１は、合成樹脂の薄膜フィルムを基材とし、図示されていないが、その片面に金属（好ましくは金）蒸着膜を備えている。被測定振動板１は、金属製のダイアフラムリング２に所定の張力を付与された状態で接着剤を介して取り付けられている。
【００１９】
この被測定振動板１の張力を測定するため、図２に示す密閉箱１０およびダイナミックヘッドホンユニット２０と、図３に示す交流信号発生部３０および電圧測定手段４０とが用いられる。
【００２０】
密閉箱１０は、内部に所定容積の空気室１１を有する箱体で、その一部分にダイナミックヘッドホンユニット２０が気密的に嵌合される開口部１２を備えている。
【００２１】
ダイナミックヘッドホンユニット２０は、発音振動板２１と、磁気回路２３と、これらを支持するユニットフレーム２５とを備えている。ダイナミックヘッドホンユニット２０は、スピーカユニットと呼ばれてもよい。
【００２２】
発音振動板２１は、センタードーム２１１と、センタードーム２１１の周りに一体に形成されたサブドーム２１２とを備え、その全体が合成樹脂の薄膜フィルムにより形成されている。
【００２３】
発音振動板２１の背面側（図２において上面側）で、センタードーム２１１とサブドーム２１２との境界部分には、ボイスコイル２１３が接着剤を介して固定されている。
【００２４】
磁気回路２３は、カップ状に形成されたヨーク２３１と、ヨーク２３１の底部に取り付けられた円盤状の永久磁石２３２と、永久磁石２３２の上に配置された同じく円盤状のポールピース２３３とを備え、ヨーク２３１とポールピース２３３との間に磁気ギャップが形成されている。
【００２５】
ユニットフレーム２５は、円筒部２５１と、円筒部２５１の一端２５１ａ側（図２において下端側）に連設された円盤状のフランジ部２５２とを備えている。
【００２６】
円筒部２５１内に磁気回路２３が支持され、フランジ部２５２にサブドーム２１２の周縁が支持されることにより、ボイスコイル２１３が磁気回路２３の上記磁気ギャップ内に振動可能に配置される。
【００２７】
このように組み立てられたダイナミックヘッドホンユニット２０は、発音振動板２１が空気室１１内に向くようにして、密閉箱１０の開口部１２に気密的に嵌合される。
【００２８】
この実施形態において、磁気回路２３のヨーク２３１，永久磁石２３２およびポールピース２３３の中央部分には、自由空間（大気）側から発音振動板２１の背面側に通ずる空気通路２３４が形成されている。
【００２９】
なお、円筒部２５１の他端２５１ｂ側（図２において上端側）は、磁気回路２３の背面（ヨーク２３１）よりも突出しており、張力測定時、円筒部２５１の他端２５１ｂ側に被測定振動板１が気密的に配置される。
【００３０】
図３を参照して、交流信号発生部３０は、供給抵抗Ｒｓを介してボイスコイル２１３に接続される。交流信号発生部３０は、出力電圧が一定の定電圧型で周波数可変のスイープオシレータである。
【００３１】
この例において、交流信号発生部３０の出力電圧は６Ｖ（実効値）で一定であり、供給抵抗Ｒｓは１ＫΩ，ボイスコイル２１３の抵抗値は３２Ωとしている。
【００３２】
また、スイープオシレータであることから、交流信号発生部３０の出力周波数は可変で、付設されているスイープダイアル３１により、低周波数→高周波数（もしくは高周波数→低周波数）に適宜出力周波数を選択することができる。
【００３３】
電圧測定手段４０は、ボイスコイル２１３の両端間電圧を測定するもので、この実施形態では、アナログ式のレベルメータが用いられているが、例えばレベル判定機能を有するデジタル電圧測定器が用いられてもよい。
【００３４】
次に、被測定振動板１の張力測定方法について説明する。本発明では、ダイナミックヘッドホンユニット２０の動インピーダンスを測定することにより、被測定振動板１の共振周波数を測定する。
【００３５】
発音振動板２１が振動すると、ボイスコイル２１３の直流抵抗とインダクタンスに加えて動インピーダンスが発生する。すなわち、動インピーダンスは、発音振動板２１の振幅（振動速度）が大きいと高くなり、これに伴って、ボイスコイル２１３の両端間電圧（信号レベル）が高くなる。ちなみに、ボイスコイル２１３を指等で固定した場合、直流抵抗とインダクタンス分だけになる。
【００３６】
図２の張力測定装置に被測定振動板１が装着されていない場合、交流信号発生部３０の交流信号の周波数をスイープしてダイナミックヘッドホンユニット２０を駆動し、発音振動板２１を振動させると、この例では、約１５０Ｈｚ付近でボイスコイル２１３の両端間電圧が最大となる発音振動板２１の共振峰が現れる。
【００３７】
被測定振動板１の張力測定時には、被測定振動板１をユニットフレーム２５の円筒部２５１の他端２５１ｂに気密的に配置する。そして、交流信号発生部３０の交流信号の周波数をスイープしてダイナミックヘッドホンユニット２０を駆動して発音振動板２１を振動させ、レベルメータ（電圧測定手段）４０でボイスコイル２１３の両端間電圧を監視する。
【００３８】
この駆動時において、被測定振動板１の共振周波数では発音振動板２１も振動しやすくなることから、動インピーダンスも上昇する。したがって、レベルメータ４０が最大電圧を示すときの周波数が被測定振動板１の共振周波数であり、これをもって被測定振動板１の共振周波数を測定することができる。
【００３９】
すなわち、被測定振動板１の共振周波数は、その張力によって変化するため、被測定振動板１の共振周波数を測定することにより、被測定振動板１の張力が大きいか、小さいかを知ることができる。共振周波数の下限値，上限値を設定することにより、被測定振動板１の張力の良否を判別することができる。
【００４０】
参考までに、図４に被測定振動板１の張力測定時に現れる共振峰の２例を示す。これによると、周波数ｆ１（例えば０．９５ｋＨｚ）付近と、周波数ｆ２（例えば１．６ｋＨｚ）付近とに共振峰が見られる。
【００４１】
周波数ｆ１での共振峰は被測定振動板１の張力が小さい場合のもので、周波数ｆ２での共振峰は被測定振動板１の張力が大きい場合のものであり、それぞれ、周波数ｆ１，ｆ２を被測定振動板１の共振周波数と特定できる。
【００４２】
また、参考として、図５に機械振動系の等価回路図を示す。ｍｏは発音振動板２１の質量，ｓｏは発音振動板２１のスチフネス，Ｍｏｍは被測定振動板１の質量，Ｓｏｍは被測定振動板１のスチフネス，ｓｆは空気室１１のスチフネス，ｓｂは空気通路２３４のスチフネスである。
【符号の説明】
【００４３】
１  被測定振動板
２  ダイアフラムリング
１０  密閉箱
１２  開口部
２０  ダイナミックヘッドホンユニット
２１  発音振動板
２１３  ボイスコイル
２３  磁気回路
２３４  空気通路
【図１】
2011069690.tif 000003
【図２】
2011069690.tif 000004
【図３】
2011069690.tif 000005
【図４】
2011069690.tif 000006
【図５】
2011069690.tif 000007